(57)【要約】【課題】記録装置を小型化する場合であっても、高品質な記録物を提供する【解決手段】画像が記録された記録媒体を切断する記録媒体切断装置であって、前記記録媒体を剪断するカッターと、前記カッターを搭載したホルダとを備え、前記ホルダを前記記録媒体の搬送方向に直交する方向に往復移動させて記録媒体を剪断することにより切断する記録媒体切断装置であって、前記ホルダは、前記カッターの切断方向の前方に紙押え手段を備え、前記紙押え手段は、紙押え部と前記記録媒体の下面を支持する支持部を有し、前記紙押え部は、前記支持部に対向した位置に配置され、前記支持部と前記紙押え部の間は、少なくとも前記記録媒体の厚さ以上である。【選択図】図４
2012236310.tif 000002
【特許請求の範囲】
【請求項１】
画像が記録された記録媒体を切断する記録媒体切断装置であって、前記記録媒体を剪断するカッターと、前記カッターを搭載したホルダとを備え、前記ホルダを前記記録媒体の搬送方向に直交する方向に往復移動させて前記カッターによって記録媒体を切断する記録媒体切断装置であって、
前記ホルダは、紙押え部と前記記録媒体の下面を支持する支持部を備え、
前記紙押え部は、前記支持部に対向した位置に配置され、
前記押え部と前記支持部の間に前記記録媒体が配置されることを特徴とする記録媒体切断装置。
【請求項２】
前記支持部と前記紙押え部の間は、少なくとも前記記録媒体の厚さ以上であることを特徴とする請求項２に記載の記録媒体切断装置。
【請求項３】
前記支持部と前記紙押え部により前記記録媒体を挟み込むことで挟持することを特徴とする請求項１に記載の記録媒体切断装置。
【請求項４】
前記押え部と前記支持部は、前記カッターによる切断中には、前記記録媒体を切断する位置である切断線の上に位置していることを特徴とする請求項１から３のいずれかに記載の記録媒体切断装置。
【請求項５】
前記紙押え部は、固定部材または回転部材からなることを特徴とする請求項１から４のいずれかに記載の記録媒体切断装置。
【請求項６】
前記押え部と前記支持部は、固定部材または回転部材からなることを特徴とする請求項１から５のいずれかに記載の記録媒体切断装置。
【請求項７】
前記押え部と前記支持部は、固定部材または回転部材を付勢する付勢手段を備えることを特徴とする請求項５または６に記載の記録媒体切断装置。
【請求項８】
請求項１から請求項７のいずれかに記載の記録媒体切断装置を備える記録装置。
【発明の詳細な説明】
【技術分野】
【０００１】
本発明は記録媒体切断装置および記録装置に関し、特に紙押さえ機構を備える記録媒体切断装置および記録装置に関する。
【背景技術】
【０００２】
近年では、高品質な記録物を高速で記録するために、記録幅が長い記録ヘッドの長尺化が図られている一方で、記録装置の小型化、低コスト化が求められている。
【０００３】
装置の小型化のために、排紙ガイドの搬送方向の長さを縮小することがある。排紙ガイドの縮小により、切断前のロール紙はカッターから鉛直下方向に向かって排出される。そのため、カッターの下流側の、離される前のロール紙の姿勢は、下方に垂れ下がり、カッターの上流側は逆に円弧状に大きく浮き上がる形状になる。この形状は、紙浮きをより助長する構成となる。
【０００４】
また、排紙ガイドの縮小は、カッターによる切断が終了する直前の、既に切断をしたロール紙部分が、自重による垂れ下がる。そのため、ロール紙の切断が終了する部分では、搬送方向下流側に引っ張られ、顕著になると未切断のロール紙部分にシワや波打ちが発生しやすくなる。その結果、切断後の記録媒体の角部の直角性と各辺の直線性を損なうことがある。
【０００５】
このような、記録装置の小型化に伴う記録媒体の切断不良を解消するために、特許文献１では、切断手段よりも搬送方向の下流側に挟持手段を設け、切断時に記録媒体の姿勢を水平させる技術が開示されている。
【０００６】
また、特許文献２では、スリットに入った溝をカッターが切断する切断手段であって、カッターを中心にカッターの周辺に紙押えを設け、切断時に記録媒体周辺の紙浮きを押える技術が開示されている。
【先行技術文献】
【特許文献】
【０００７】
【特許文献１】特登録０３８２７０００号明細書
【特許文献２】特開２００２−０７２５９４号
【発明の概要】
【発明が解決しようとする課題】
【０００８】
しかしながら、特許文献１に記載の挟持手段では、コストがかかり、また、装置の小型化を図ることができないことがある。
【０００９】
また、特許文献２に記載したスリットに入った溝をカッターが切断する切断手段では、例えば上可動刃と下可動刃の組み合わせのカッター手段である場合、カッター手段より搬送方向の下流側は空間が空いていることがある。そのため、搬送方向の下流側では記録媒体を支持できず、紙押えによって紙浮きは規制できても記録媒体の落ち込みを防ぐことはできない。そして、記録媒体の落ち込みは紙浮きと同様に切断位置がずれているため、切断後の記録媒体角部の直角性および各辺の直線性を保つことができないことがある。
【００１０】
さらに、記録直後でインク等が乾いていない記録媒体と紙押えが接触すると、記録媒体を汚し、傷つけることがある。また、接触した紙押えにインク等が転写して、紙押え自体が汚れることがある。特に、余白が無いような縁無し画像を記録する場合は、紙押えが汚れやすい。そして、汚れた紙押えが、次の記録媒体を押えると、その記録媒体を紙押えに付着したインクで汚してしまうこともある。
【００１１】
本発明は以上の点に鑑みてなされたものであり、記録装置を小型化する場合であっても、高品質な記録物を生成することができる切断装置および記録装置の提供することを目的とする。
【課題を解決するための手段】
【００１２】
上記目的を達成するために本発明は、画像が記録された記録媒体を切断する記録媒体切断装置であって、前記記録媒体を剪断するカッターと、前記カッターを搭載したホルダとを備え、前記ホルダを前記記録媒体の搬送方向に直交する方向に往復移動させて記録媒体を剪断することにより切断する記録媒体切断装置であって、前記ホルダは、前記カッターの切断方向の前方に紙押え手段を備え、前記紙押え手段は、紙押え部と前記記録媒体の下面を支持する支持部を有し、前記紙押え部は、前記支持部に対向した位置に配置され、前記支持部と前記紙押え部の間は、少なくとも前記記録媒体の厚さ以上であることを特徴とする。
【発明の効果】
【００１３】
上記の構成によれば、紙浮きを押えるためだけに必要な手段を設けることなく、記録媒体を切断するときの紙浮きがなく、紙押え部が余白を汚すこともない。これにより、記録装置を小型化する場合であっても、高品質な記録物を生成することができる記録媒体切断装置および記録装置の提供することができる。
【図面の簡単な説明】
【００１４】
【図１】第１の実施形態の切断装置を具えた記録装置を示す斜視図である。
【図２】第１の実施形態の記録装置を示す断面図である。
【図３】第１の実施形態の切断装置を示す正面図である。
【図４】第１の実施形態のカッターホルダを示す正面図である。
【図５】第１の実施形態の切断装置による切断途中を示す上面図である。
【図６】第２の実施形態の切断装置を示す正面図である。
【図７】第２の実施形態のカッターホルダを示す正面図である。
【図８】第２の実施形態の切断装置による切断途中を示す上面図である。
【図９】第３の実施形態のカッターホルダを示す正面図である。
【図１０】第３の実施形態の切断装置による切断途中を示す上面図である
【発明を実施するための形態】
【００１５】
以下に図面を参照して本発明における実施形態を詳細に説明する。
（第１の実施形態）
図１は、本実施形態の記録媒体切断装置を具えた記録装置を示す正面から見た斜視図である。本実施形態の記録装置１は、シリアルタイプのインクジェット記録装置であり、記録媒体であるロール紙２がセットされている。操作部３は、この記録装置を操作するために設けられており、操作部３に設置された各種のスイッチ等により、記録媒体幅、オンライン／オフライン、コマンドなどが指示される。記録装置の背面には、ロール紙２を回転自在に保持したスプールが設置されている。
【００１６】
図２は、本実施形態の記録装置を示す断面図である。ロール紙２は矢印Ａ方向から記録媒体挿入口に挿入される。挿入されたロール紙２は、搬送ガイド１６に案内されて記録装置の内部に搬送され、固定部材である搬送ローラ４とピンチローラ５に挟持されながらプラテン７上の画像記録領域８に到達する。画像記録領域８の上方では、キャリッジ９がガイドレール１０に案内されて、記録媒体の搬送方向と交差する主走査方向に走査する。キャリッジ９には、インクを吐出する記録ヘッド１１が搭載されている。プラテン７は、ロール紙２をプラテン７に吸着させて浮き上がらせないために多数の吸引孔１３が形成されている。また、プラテン７の下には、プラテン７と連通したダクト１４が配置され、さらにまたダクト１４の下には、ダクト１４と連通してロール紙２をプラテン７に吸着させる吸引ファン１５が配置されている。プラテン７に載置されたロール紙２のうち画像記録領域８に位置する部分に、画像情報に基づいて記録ヘッド１１からインクが吐出されて画像が記録される。画像が記録されたロール紙２の記録部分は矢印Ｂ方向に排出され、排紙ガイド１２に至り記録後のロール紙を本体外部に排紙案内する。本実施形態の記録装置は、プラテン７と排紙ガイド１２の間に切断装置１７を備え、ロール紙２を所定の長さに切断する。
【００１７】
図３は、本実施形態の記録媒体切断装置を示す正面図である。本実施形態の切断装置１７は、上下に回転刃を有するものであり、記録媒体の画像形成された表面側に配置し回転する上可動刃１８と、記録媒体の裏面側に配され回転する下可動刃１９とを有するカッターホルダ２０を備えている。
【００１８】
カッターホルダ２０は、搬送方向に直交する方向に配置されたカッターガイドレール２１に沿って往復移動をすることができる。この往復移動は、モータ等の駆動部２２からベルト２３を介して伝達される駆動力によって行われる。カッターホルダ２０の位置を検出するセンサ２４とセンサ２５がカッターガイドレール２１上に配置されている。センサ２４が切断開始側に位置するＸ１を、センサ２５が切断終了側に位置するＸ２におけるカッターホルダ２０の位置を検出することができる。
【００１９】
カッターホルダ２０は、搬送方向に直交する方向にＸ１からＸ２へ移動しながらロール紙２を切断する。また、ロール紙２を切断した後、カッターホルダ２０をＸ２からＸ１へ移動させるときは、ロール紙２を切断しない。また、ロール紙２を搬送する時は、カッターホルダ２０はロール紙２の記録媒体幅の領域外に配置されており、ロール紙２の紙搬送を妨げることはない構成となっている。
【００２０】
図４は、本実施形態のカッターホルダ２０を示す正面図である。上可動刃１８と下可動刃１９が成す切断点２８より切断方向の前方に支持リブ２７が配置されている。支持リブ２７は、記録媒体の下面を支持する部材であり、支持リブ２７に対向した位置に紙押えリブ２６が配置され、記録媒体を押えている。また、上可動刃１８と下可動刃１９とで形成される切断点２８に、ロール紙２を導くために紙押えリブ２６と支持リブ２７はガイド形状を成している。また、カッターホルダ２０の開口部３０は各ガイド形状によって形成されている。
【００２１】
紙押えリブ２６は細長いリブ型形状であり、記録媒体との接触を細い線接触で行う。紙押えリブ２６と支持リブ２７の隙間は２ｔであり、リブ隙間の中心線２９は、上可動刃１８と下可動刃１９が成す交差する切断点２８と、略同一線上に位置する。この時、リブ隙間の２ｔは切断する最も厚い記録媒体の厚さの値であり、本実施形態では０.７ｍｍである。
【００２２】
以上により、ロール紙２を切断する場合、ロール紙２を常に隙間２ｔの間に保持できるため、紙浮きを最小限に押えて切断でき、切断後の記録媒体の角部の直角性および各辺の直線性を改善することができる。さらに、開口部３０でロール紙２を切断点２８に導くため、カッターホルダ２０と記録媒体の接触時におけるジャムが起こることがなく、適切にロール紙２を切断することができる。また、カッターホルダに紙押え手段が備わっているため、搬送方向におけるカッター手段の前後に記録媒体の紙浮きを押える紙押え手段を用意する必要が無くなり記録装置の小型化を達成することができる。
【００２３】
図５は、本実施形態の記録媒体切断装置による切断中における要部を示す上面図である。紙押えリブ２６のガイド形状である紙押さえリブ斜線３１上を中心として搬送方向前後に記録された記録媒体の余白部の長さＬ以内に位置している。これにより、余白を有する縁有り画像の記録を行なう場合、紙押え部が記録直後でインク等が転写することがなく、紙押え部が記録物を転写したインクで汚れることもない。
【００２４】
（第２の実施形態）
図６は、本実施形態の記録媒体切断装置を示す正面図である。本実施形態の切断装置１７は、記録媒体の搬送方向に直交する方向に長尺な固定刃と、回転刃を有するものであり、記録媒体の画像形成された上面側に配置し回転する可動刃３２を装着したカッターホルダ２０と、記録媒体の裏面側に固定された固定刃３３を備えている。
【００２５】
カッターホルダ２０は、カッターホルダ２０の位置を検出する不図示のセンサおよび不図示のモータ等により、搬送方向に直交する方向にＸ１からＸ２、あるいはＸ２からＸ１へ往復移動することができる。これにより、カッターホルダ２０に装着された可動刃３２は、固定刃３３に沿ってロール紙２を切断することができる。また、カッターホルダ２０の位置を検出する不図示のセンサによって、搬送方向に直交する方向にＸ１からＸ２、またはＸ２からＸ１へ移動させることができる。ロール紙２を搬送する時は、カッターホルダ２０はロール紙２の記録媒体幅の領域外に配置されており、ロール紙２の紙搬送を妨げることはない構成となっている。
【００２６】
図７は、本実施形態のカッターホルダを示す正面図である。第１の実施形態の紙押え手部および支持部は固定のものであったが、本実施形態の紙押え部および支持部は、回転部材から成るものである。
【００２７】
上可動刃３２と固定刃３３が成す切断点２８より切断方向前方側に支持コロ３４が配置されている。支持コロ３４は、記録媒体の下面を支持している。また、支持コロ３４に対向した位置に拍車３５が配置され、この拍車３５は紙押え部材としての役割を果たす。拍車３５は、針状突起を有する薄肉星型から成り、拍車バネ３６と拍車ホルダ３７によって保持されている。
【００２８】
また、支持コロ３４と拍車３５は記録媒体と接触して挟持することができる。支持コロ３４と拍車３５の挟持中心線３８は、垂直方向における切断点２８より低く位置している。これにより、上可動刃３２と固定刃３３によるロール紙２に対する剪断力を安定して加えることができる。また、拍車バネ３６によって拍車３５が押圧力により上下できるため、薄紙や厚紙でも挟持することができるため、適切にロール紙２を切断することができる。
【００２９】
このように、ロール紙２を切断する場合に、ロール紙２を常に挟持して紙浮きを押えて切断することができ、記録媒体の角部の直角性および各辺の直線性を改善することができる。また、カッターホルダに挟持手段が備わっているため、搬送方向におけるカッター手段の前後に記録媒体を挟持する挟持手段を用意する必要がなく、装置の小型化を図ることができる。
【００３０】
図８は、本実施形態の記録媒体切断装置による切断中における要部を示す上面図である。拍車３５は、記録媒体の切断線３１上に位置している。また、破線で示される支持コロ３４は、ロール紙２の裏側の固定刃３３より搬送方向の下流側に位置している。また、不図示の上可動刃３２により、切断点３９まで切断されている。この時、ロール紙２と接触する拍車３５は、切断線３１上を中心として搬送方向前後に記録された記録媒体の余白部の長さＬ以内に位置している。ここで、余白無し記録をする場合、拍車３５は記録物の記録直後でインク等が転写しやすい部分に接触する。しかし、押しつけるようなコロとは異なり拍車３５であるため、そのインク等が転写されることがほとんどない。また、拍車３５の針状突起が接触するため条件によっては記録物に傷がつく可能性がある。しかし、拍車３５が切断線上に位置しているため、傷が付いた場所を切断するので結果的に記録物に傷が残らないこととなる。また、余白を有する縁有り画像の記録を行なう場合、第１の実施形態と同様に、拍車３５にインク等が転写することがなく、記録物が汚れることもない。
【００３１】
（第３の実施形態）
図９は、本実施形態の記録媒体切断装置のカッターホルダを示す正面図である。記録媒体の上面側に接触し回転する上可動刃１８と下面側に配置され回転する下可動刃１９が成す切断点２８より切断方向前方側に支持コロ３４が配置されている。支持コロ３４は、記録媒体の下面を支持する支持部であり、支持コロ３４に対向した位置に紙押え部材である回転する拍車３５が配置されている。拍車３５は、針状突起を有する薄肉星型であり、拍車バネ３６と拍車ホルダ３７によって保持されている。また、本実施形態では、紙押え部および支持部に付勢手段を備えたものである。本実施形態の付勢手段には、ガイドを用いているが、本発明の付勢手段はガイドに限定されず、紙押え手段に備えることにより、それぞれを適切に付勢するものであればよい。拍車３５の切断方向前方に上ガイド部４０が配置されており、支持コロ３４の切断方向前方に下ガイド部４１が配置されている。上ガイド部４０と下ガイド部４１は、細長いリブ型形状である。これにより、カッターホルダ２０の開口部３０は、上ガイド部４０と下ガイド部４１によって形成される。また、開口部３０でロール紙２を支持コロ３４と拍車３５の間に導くため、カッターホルダ２０と用紙の接触時におけるジャムが起こることはなく、適切にロール紙２を切断することができる。
【００３２】
支持コロ３４と拍車３５の挟持中心線３８は、垂直方向における切断点２８と略同一線上に位置している。これにより、支持コロ３４と拍車３５によって挟持されたロール紙２は切断点２８に導くことができる。また、上可動刃１８と下可動刃１９によるロール紙２に対する剪断力を安定して加えることができる。これにより、第２の実施形態と同様に、薄紙や厚紙でも挟持することができ、装置の小型化を図ることができ、記録媒体の角部の直角性および各辺の直線性を維持することができる。
【００３３】
図１０は、本実施形態の記録媒体切断装置による切断中における要部を示す上面図である。拍車３５は、記録媒体の切断線３１上に位置している。また、破線で示される支持コロ３４は、拍車３５に対向した位置であるロール紙２の裏側に配置されている。不図示の、上可動刃１８と下可動刃１９により、切断点３９まで切断されている。この時、ロール紙２と接触する拍車３５は、切断線３１上を中心として搬送方向前後に記録された記録媒体の余白部の長さＬ以内に位置している。これにより、余白を有する縁有り画像の記録を行なう場合、拍車３５にインク等が転写することがなく、記録物が汚れることもない。
【符号の説明】
【００３４】
１  インクジェット記録装置
２  ロール紙
４  搬送ローラ
５  ピンチローラ
７  プラテン
１２  排紙ガイド
１６  搬送ガイド
１７  切断装置
１８  上可動刃
１９  下可動刃
２０  カッターホルダ
２１  カッターガイドレール
２６  紙押さえリブ
２６ａ  紙押さえリブ斜面部
２６ｂ  紙押さえリブ先端部
２７  支持リブ
２８  切断点
２９  リブ隙間の中心線
３０  開口部
３１  切断線
【図１】
2012236310.tif 000003
【図２】
2012236310.tif 000004
【図３】
2012236310.tif 000005
【図４】
2012236310.tif 000006
【図５】
2012236310.tif 000007
【図６】
2012236310.tif 000008
【図７】
2012236310.tif 000009
【図８】
2012236310.tif 000010
【図９】
2012236310.tif 000011
【図１０】
2012236310.tif 000012